【手続補正書】
【提出日】平成27年7月23日(2015.7.23)
【手続補正１】
【補正対象書類名】特許請求の範囲
【補正対象項目名】全文
【補正方法】変更
【補正の内容】
【特許請求の範囲】
【請求項１】
一対の両側の製品収容ポケットのためのパッケージハウジングを形成するためのブランク材であって、
前記ブランク材は第１の端部壁に折り畳み可能に取り付けられた五角形のフラップを備え、
前記第１の端部壁は、第１の後壁のメイン表面に折り畳み可能に取り付けられ、
第２の後壁のメイン表面は、前記第１の後壁のメイン表面およびエンドフラップに折り畳み可能に取り付けられ、かつ前記第１の後壁のメイン表面と前記エンドフラップとの間に延び、
第１のサイドフラップは、前記第１の後壁のメイン表面および第１の前表面に折り畳み可能に取り付けられ、かつ前記第１の後壁のメイン表面と前記第１の前表面との間に延び、
第３のサイドフラップは、前記第１の前表面およびサイドタブに折り畳み可能に接続され、かつ前記第１の前表面とサイドタブとの間に延び、
第２のサイドフラップは、前記第２の後壁のメイン表面および第２の前表面に折り畳み可能に接続され、かつ前記第２の後壁のメイン表面と前記第２の前表面との間に延び、
第４のサイドフラップは、前記第２の前表面および第４のサイドタブに折り畳み可能に接続され、かつ前記第２の前表面と第４のサイドタブとの間に延び、
前記第２の前表面は、前記パッケージハウジングにいったん組み立てられると、前記フラップの端部と係合するように、前記第２の前表面を介したスロットを備える、ブランク材。
【請求項２】
前記第１のメイン表面および前記第２のメイン表面は、それらの間に延びる折り目において折り畳み可能に接続されている、請求項１に記載のブランク材。
【請求項３】
有孔の折り目は、前記第１の前表面と前記第２の前表面との間に部分的に延びている、請求項２に記載のブランク材。
【請求項４】
前記第１の前表面は、前記第１の前表面を介した半円の開口部を有する、請求項３に記載のブランク材。
【請求項５】
前記第２の前表面は、前記第２の前表面を介した半円の開口部を有する、請求項４に記載のブランク材。
【請求項６】
前記第１の前表面および前記第２の前表面の前記半円の開口部は互いに連通している、請求項５に記載のブランク材。
【請求項７】
前記第１の後壁のメイン表面は、前記パッケージハウジングがいったん組み立てられると、前記フラップの端部と係合するように、前記第１の後壁のメイン表面を介した後部スロットを有する、請求項１に記載のブランク材。
【請求項８】
前記後部スロットは湾曲している、請求項７に記載のブランク材。
【請求項９】
前記スロットは湾曲している、請求項１に記載のブランク材。
【請求項１０】
前記パッケージハウジングはＬ形状を有する、請求項１に記載のブランク材。
【請求項１１】
向かい合う構成において製品を保存するための一対のポケットを含むパッケージハウジングを形成する方法であって、
シートからブランク材を切る工程であって、
前記ブランク材は、一対の両側の製品収容ポケットのためのパッケージハウジングを備え、
前記ハウジングは、第１の端部壁に折り畳み可能に取り付けられた五角形のフラップを備え、
前記第１の端部壁は、第１の後壁のメイン表面に折り畳み可能に取り付けられ、
第２の後壁のメイン表面は、前記第１の後壁のメイン表面とエンドフラップとの間に延び、
第１のサイドフラップは、前記第１の後壁のメイン表面と第１の前表面との間に延び、
第３のサイドフラップは、前記第１の前表面と前記サイドタブとの間に延び、
第２のサイドフラップは、前記第２の後壁のメイン表面と第２の前表面との間に延び、
第４のサイドフラップは、前記第２の前表面と第４のサイドタブとの間に延び、
前記第２の前表面は、前記パッケージハウジングにいったん組み立てられると、前記フラップの端部と係合するように、前記第２の前表面を介したスロットを備える、工程と、
後ろの折り目に沿って、前記第１の後壁のメイン表面および前記第２の後壁のメイン表面を折る工程であって、前記第１の後壁のメイン表面および前記第２の後壁のメイン表面は前記第１のサイドフラップおよび前記第２のサイドフラップに直交する、工程と、
前記第１のサイドフラップおよび前記第２のサイドフラップをサイドの折り目に沿って折る工程であって、前記第１のサイドフラップおよび前記第２のサイドフラップは、前記第１の前表面および前記第２の前表面に直交し、前記第１の前表面および前記第２の前表面は、前記第１の後壁のメイン表面および前記第２の後壁のメイン表面から間隔を置いて、平行し、かつ並んでいる、工程と、
前記第３のサイドフラップおよび前記第４のサイドフラップを第３の折り目に沿って折る工程であって、前記第３のサイドフラップおよび前記第４のサイドフラップは前記第１の前表面および前記第２の前表面に直交しており、前記第３のサイドフラップおよび前記第４のサイドフラップは、前記第１のサイドフラップおよび前記第２のサイドフラップから間隔を置いて、平行し、かつ並んでいる、工程と、
前記サイドタブおよび前記第４のサイドタブをサイドタブ折り目に沿って折る工程であって、前記サイドタブおよび前記第４のサイドタブは前記第１の後壁のメイン表面および前記第２の後壁のメイン表面と平行している、工程と、
開口端部を有する第１のポケットを形成するために、前記サイドタブを前記第１の後壁のメイン表面に接着する工程と、
開口端部を有する第２のポケットを形成するために、前記サイドタブを前記第１の後壁のメイン表面に接着する工程と、
エンドフラップの線に沿って前記エンドフラップを折る工程であって、前記エンドフラップは前記第２の後壁のメイン表面に直交し、前記エンドフラップは、前記第２のポケットの前記開口端部を閉めるために、前記第２の後壁のメイン表面と前記第２の前壁のメイン表面との間に延びる、工程と、
第１の端部壁の折り目に沿って側壁を折る工程であって、前記第１の端部壁は、前記第１の後壁のメイン表面に直交し、前記第１の端部壁は、前記第１のポケットの前記開口端部を閉めるために、前記第１の後壁のメイン表面と前記第２の前壁のメイン表面との間に延びる、工程と、
上部の折り目に沿って前記フラップを折る工程であって、前記フラップは前記第１の端部壁に直交し、前記フラップは前記第１の後壁のメイン表面に平行する、工程と、
前記フラップを、前記第２の前表面の前記スロットに固定する工程と、
を含む、方法。
【請求項１２】
前記一対のポケットを分離した場合に、前記フラップと摺動可能に係合するために、前記第１の後壁のメイン表面においてスロットを切る工程をさらに含む、請求項１１に記載の方法。
【請求項１３】
前記第１のサイドフラップと前記第２のサイドフラップとの間に、前記第１の前表面と前記第２の前表面との間に、ならびに、前記第３のサイドフラップと前記第４のサイドフラップとの間に、ミシン目の線を切る工程をさらに含む、請求項１１に記載の方法。
【請求項１４】
前記第１の前表面および前記第２の前表面を介した開口部を切ることをさらに含む、請求項１３に記載の方法。
【請求項１５】
前記ミシン目の線に沿って前記パッケージハウジングを分断する場合に、前記一対のポケットの分離を可能にするために、前記第１の後壁のメイン表面と前記第２の後壁のメイン表面との間で、ミシン目の線を切断することを継続する工程をさらに含む、請求項１４に記載の方法。
【請求項１６】
パッケージアセンブリであって、
一対の製品収容ポケットを有するパッケージハウジングを備え、
前記ポケットは、前記製品を前記ポケットから分配することができるように、平坦で閉じた状態と折り畳まれて開いた状態との間で折り畳み可能な動作のために折り目の両側に配置されており、
前記ハウジングはさらに、前記ポケットを閉じるために、前記平坦な状態において、前記ポケット上に配置された、開くことのできるフラップを備え、前記フラップは、前記ポケットの１つから延び、前記ポケットのもう１つは、前記閉じた状態において、前記フラップの遠位端を受け取るためのスロットを備え、
前記フラップは、前記ポケットの１つに折り畳み可能に取り付けられているパッケージアセンブリ。
【請求項１７】
前記ポケットの各々は、前記ポケットから前記製品を分配するための開口端部を備え、前記開口端部は、前記折り目の両側で向かい合うように配置される、請求項１６に記載のパッケージアセンブリ。
【請求項１８】
前記開口端部は半円である、請求項１７に記載のパッケージアセンブリ。
【請求項１９】
前記ポケットは前記折り目において分断可能である、請求項１６に記載のパッケージアセンブリ。
【請求項２０】
前記ポケットの各対は、閉じた状態において、および、前記ポケットの対が分断された後の前記ポケットの１つの閉じた状態において、前記フラップの遠位端を受け取るためのスロットを備える、請求項１９に記載のパッケージアセンブリ。